(57)【要約】【課題】設定情報がクリアされることによる表示異常を抑制するための表示駆動装置を提供すること。【解決手段】本発明に係る表示駆動装置１００は、ＬＣＤ１５０における電子ボリューム値を記憶するＥＥＰＲＯＭ１４２と、このＥＥＰＲＯＭ１４２から初期設定情報を所定期間毎に読出すＲＯＭ制御回路１４０と、ＬＣＤ駆動回路１２４に対して、ＲＯＭ制御回路１４０により読出された電子ボリューム値に基づく駆動電圧を供給する電圧生成回路１３２とを有する。【選択図】        図２
2004294532.tif 000002
【特許請求の範囲】
【請求項１】
画素が形成された表示部を駆動する駆動手段と、
前記駆動手段に供給する駆動電圧を変更するための設定情報を記憶する不揮発性記憶手段と、
前記不揮発性記憶手段から設定情報を所定期間毎に読出す読出手段と、
前記駆動手段に対して、前記読出手段により読出された設定情報に基づく駆動電圧を供給する電圧供給手段とを有することを特徴とする表示駆動装置。
【請求項２】
請求項１に記載の表示駆動装置において、
前記読出手段は、前記設定情報の読出しを指示する指示情報を受信して、該設定情報を読出すことを特徴とする表示駆動装置。
【請求項３】
請求項１または２に記載の表示駆動装置において、
前記電圧供給手段から駆動電圧が供給されているか否かを判定し、該判定が否定的であったならば、該電圧供給手段を再起動させる判定手段を有することを特徴とする表示駆動装置。
【請求項４】
請求項１乃至３のいずれかに記載の表示駆動装置を備えたことを特徴とする電気光学装置。
【請求項５】
請求項４に記載の電気光学装置を備えたことを特徴とする電子機器。
【請求項６】
画素が形成された表示部を駆動する駆動電圧を変更設定するための設定情報を記憶した不揮発性記憶手段から、設定情報を所定期間毎に読出し、
前記表示部を、該読出された設定情報に基づく駆動電圧で駆動させることを特徴とする表示駆動装置の駆動設定方法。
【発明の詳細な説明】
【０００１】
【発明の属する技術分野】
本発明は、表示駆動装置、電気光学装置および電子機器、表示駆動装置の駆動設定方法に関する。
【０００２】
【従来の技術】
ＬＣＤ（Ｌｉｑｕｉｄ  Ｃｒｙｓｔａｌ  Ｄｉｓｐｌａｙ）ドライバでは、従来、コントラストを設定するための情報である電子ボリューム値などの駆動電圧を変更設定するための設定情報は、マイコンなどが備わった外部のシステムから転送されていた。
これに対し、ＬＣＤドライバを備えた表示装置の組み立て時におけるこの設定情報の設定の煩わしさを減らすために、設定情報を不揮発性記憶部に予め記憶させ、電源投入時、これを基に自動的に電子ボリューム値を設定するＬＣＤドライバが提案されている（例えば、特許文献１など）。
【０００３】
【特許文献１】
特開平１０−３０１０８１号公報
【０００４】
【発明が解決しようとする課題】
ところで、このように電子ボリューム値を設定した後において、その情報が設定されたレジスタが、ＥＳＤ（Ｅｌｅｃｔｒｏ  Ｓｔａｔｉｃ  Ｄｉｓｃｈａｒｇｅ）等の外的要因で不意にクリアされてしまうという状況が起こり得た。この状況により、以後、クリアされたレジスタに電子ボリューム値が再設定されない限り、ＬＣＤドライバは正常表示を行うことはできない。この外的要因で設定がクリアされてしまうという現象は、レジスタ自体がＥＳＤなどで不意にクリアされてしまうことから、電子ボリューム値の設定情報の他にも、ＰＷＭ（Ｐｕｌｓｅ  Ｗｉｄｔｈ  Ｍｏｄｕｌａｔｉｏｎ）による階調表現のための印加実効電圧を調整する表示階調特性値や、環境温度の変化に伴う供給電圧の変化を調整する温度補償値、あるいは、電源電圧を変圧して供給する電圧生成回路などにおいても同様に生じてしまう。
【０００５】
本発明は上述した課題に鑑みてなされ、その目的は、設定情報がクリアされることによる表示異常を抑制するための表示駆動装置、電気光学装置および電子機器、表示駆動装置の駆動設定方法を提供することにある。
【０００６】
【課題を解決するための手段】
（１）上述課題を解決するため、本発明の表示駆動装置は、画素が形成された表示部を駆動する駆動手段と、前記駆動手段に供給する駆動電圧を変更するための設定情報を記憶する不揮発性記憶手段と、前記不揮発性記憶手段から設定情報を所定期間毎に読出す読出手段と、前記駆動手段に対して、前記読出手段により読出された設定情報に基づく駆動電圧を供給する電圧供給手段とを有することを特徴とする。
これにより、随時、設定情報を更新することが可能となり、既に設定された設定情報が、ＥＳＤ等の外的要因で設定が不意にクリアされてしまうという期間を最小限に抑えることができるようになる。
【０００７】
（２）また、本発明は、上記（１）に記載の表示駆動装置において、前記読出手段は、前記設定情報の読出しを指示する指示情報を受信して、該設定情報を読出すことを特徴とする。
これにより、指示情報を送信したタイミング以降、随時、設定情報を更新することが可能となる。
【０００８】
（３）また、本発明は、上記（１）または（２）に記載の表示駆動装置において、前記電圧供給手段から駆動電圧が供給されているか否かを判定し、該判定が否定的であったならば、該電圧供給手段を再起動させる判定手段を有することを特徴とする。
これにより、ＥＳＤ等の外的要因に起因し、電圧生成手段における動作がクリアされてしまうことで生じる表示異常に対して、煩わしい設定作業無しに対処することができるようになる。
【０００９】
（４）また、本発明は、上記（１）乃至（３）のいずれかに記載の表示駆動装置を備えた電気光学装置として用いることができる。
【００１０】
（５）また、本発明は、上記（４）に記載の電気光学装置を備えた電子機器として用いることができる。
【００１１】
（６）また、本発明における表示駆動装置の駆動設定方法は、画素が形成された表示部を駆動する駆動電圧を変更設定するための設定情報を記憶した不揮発性記憶手段から、設定情報を所定期間毎に読出し、前記表示部を、該読出された設定情報に基づく駆動電圧で駆動させることを特徴とする。
【００１２】
【発明の実施の形態】
以下、図面を用いて、本発明の実施の形態を詳細に説明する。
【００１３】
＜第１の実施形態＞
図１，２を用いて、本第１の実施形態における表示駆動装置の構成を説明する。
図１は、本形態における表示駆動装置１００を備えた液晶装置１０のブロック図を示している。
表示駆動装置１００は、電源電圧を昇圧する電圧生成回路１３２から供給された昇圧電圧に基づく駆動電圧を、ＬＣＤ１５０に供給する。Ｙ駆動回路３０は、ＬＣＤ１５０における走査線（図示せず）に選択電圧を供給する回路である。Ｘ駆動回路２０は、ＬＣＤ１５０におけるデータ線（図示せず）に駆動電圧を供給する回路である。
【００１４】
ＥＥＰＲＯＭ（Ｅｌｅｃｔｒｉｃａｌｌｙ−Ｅｒａｓｅｒｂｌｅ  ａｎｄ  Ｐｒｏｇｒａｍａｂｌｅ  Ｒｅａｄ−Ｏｎｌｙ  Ｍｅｍｏｒｙ）１４２は、ＬＣＤ１５０に供給する駆動電圧の変更を行うための電子ボリューム値を記憶している。
【００１５】
図２は、この表示駆動装置１００の構成を示している。
表示駆動装置１００には、表示用のフレームメモリとして機能する表示データＲＡＭ（Ｒａｎｄｏｍ  Ａｃｃｅｓｓ  Ｍｅｍｏｒｙ）１２２が設けられている。
【００１６】
入出力バッファ回路１１０から送信されたＲ（Ｒｅｄ）Ｇ（Ｇｒｅｅｎ）Ｂ（Ｂｌｕｅ）を示す表示データＤを受信した制御回路１１２は、Ｉ／Ｏバッファ回路１１６にこの表示データＤを送信する。
制御回路１１２は、コマンドデコーダ（図示せず）から供給される表示コマンドに基づいて、表示データＲＡＭ１２２に対して、読出し（リード）または書込み（ライト）動作を指示する。
また、制御回路１１２は、タイミングパルスとしてのクロック信号ＣＬＫ、水平同期信号Ｈｓｙｎｃ、垂直同期信号Ｖｓｙｎｃ、ＰＷＭ（パルス幅変調）を行わせる階調制御信号ＧＣＰ（Ｇｒａｙｓｃａｌｅ  Ｃｏｎｔｒｏｌ  Ｐｕｌｓｅ）などの制御信号を生成する。この制御信号がカラムアドレス制御回路１１８およびページアドレス制御回路１２０に供給されることで、リードまたはライト動作に伴って、これらの回路１１８，１２０内の各々で記憶されるカウンタのセットまたはリセットが行われる。これにより、Ｉ／Ｏバッファ回路１１６に記憶された表示データＤが表示データＲＡＭ１２２に順次書き込まれる。
【００１７】
ＲＯＭ制御回路１４０は、ＥＥＰＲＯＭ１４２に記憶された電子ボリューム値の読出し、またはＥＥＰＲＯＭ１４２への書込みを行う。
ＲＯＭ制御回路１４０は、外部からリセット信号が入力され、表示駆動装置１００のシステム始動がなされるのと同期して、ＥＥＰＲＯＭ１４２にアクセスし、記憶されている電子ボリューム値を読出す。このＲＯＭ制御回路１４０は、所定期間毎、例えば一垂直走査期間（１Ｖ）の長さに相当するフレーム周波数の２倍の期間毎にＥＥＰＲＯＭ１４２にアクセスし、読出した電子ボリューム値を電圧生成回路１３２に送信する。
【００１８】
電圧生成回路１３２は、この電子ボリューム値を受信し、ＬＣＤ駆動回路１２４に供給する電圧レベルの調整を行う。
【００１９】
表示データＲＡＭ１２２に記憶されたＬＣＤ１５０一画面に相当する表示データＤ群は、制御回路１１２から随時供給される読出し指示にしたがって、ＬＣＤ駆動回路１２４に順次送信される。
ＬＣＤ駆動回路１２４は、制御回路１１２から供給されるクロック信号ＣＬＫに基づく水平同期信号Ｈｓｙｎｃのタイミングにしたがって、表示データＲＡＭ１２２から送信された一群の表示データを一ライン分づつラッチする。ＬＣＤ駆動回路１２４は、ＬＣＤ１５０内の走査線を順次選択し、制御回路１１２で生成されるＧＣＰ信号にしたがって、そのラッチした表示データＤに対応する駆動電圧をＬＣＤ１５０内の各データ線に供給する。
【００２０】
電圧生成回路１３２は、電子ボリューム値を示す設定情報を受信したことを判別したならば、この電子ボリューム値にしたがって、ＬＣＤ１５０に供給する電圧を変圧する。
【００２１】
ところで、このように電源投入に伴って電圧生成回路１３２で電子ボリューム値が設定された後、その情報が設定されたレジスタが、ＥＳＤ等の外的要因で不意にクリアされてしまうという問題が起こり得る。
これに対して、本発明の表示駆動装置１００は、ＲＯＭ制御回路１４０により、ＥＥＰＲＯＭ１４２に記憶された電子ボリューム値を、例えば一垂直走査期間（１Ｖ）の長さに相当するフレーム周波数の２倍の期間毎に読出し、これを電圧生成回路１３２に送信する。電圧生成回路１３２は、この受信した電子ボリューム値をその内部のレジスタに記憶し、その設定を更新する。
【００２２】
これにより、表示駆動装置１００では、随時、電子ボリューム値を更新することが可能となり、既に設定されたレジスタが、ＥＳＤ等の外的要因で設定が不意にクリアされてしまうという期間を最小限に抑えることができるようになる。
【００２３】
（表示駆動装置１００の他の形態１）
なお、上述の実施形態では、初期設定情報として電子ボリューム値がＥＥＰＲＯＭ１４２に記憶され、これが電圧生成回路１３２内で随時更新されるとして説明を進めたが、初期設定情報として他に、温度補償値または表示階調値などが随時更新されるようにすることも可能である。
【００２４】
ＥＥＰＲＯＭ１４２に、更新させるべき温度補償値および表示階調値を予め記憶した場合、ＲＯＭ制御回路１４０は、このＥＥＰＲＯＭ１４２に記憶された温度補償値および表示階調値を、例えば一垂直走査期間（１Ｖ）の長さに相当するフレーム周波数の２倍の期間毎に読出し、これを電圧生成回路１３２に送信する。
【００２５】
電圧生成回路１３２は、この温度補償値に対応する設定がなされる変圧回路（図示せず）内において、可変抵抗値が記憶されるレジスタの記憶値を更新する。これにより、環境温度に対応して供給される電源電圧が随時更新される。
【００２６】
また、電圧生成回路１３２におけるＰＷＭデコーダー（図示せず）は、表示階調値に対応する設定がなされる階調制御信号ＧＣＰにおいて、一水平走査期間（１Ｈ）における所望の実効電圧を得るパルス幅Ｗを更新する。これにより、階調レベルを制御するパルス幅Ｗが随時更新される。また電圧制御方式で階調設定を行う場合、電圧生成回路１３２は、設定された電圧値を更新する。
【００２７】
（表示駆動装置１００の他の形態２）
本実施形態では、上述の表示駆動装置１００において、別の形態にかかる表示駆動装置を説明する。なお、便宜的に図２を用いてその構成および動作を説明する。
【００２８】
本形態の表示駆動装置では、入出力バッファ回路１１０を介して受信した、電子ボリューム値の読出しを指示する指示コマンドがＲＯＭ制御回路１４０で受信される。ＲＯＭ制御回路１４０は、この指示コマンドに基づいて、ＥＥＰＲＯＭ１４２にアクセスし、読出した電子ボリューム値を電圧生成回路１３２に送信する。
【００２９】
このように、本形態の表示駆動装置では、指示コマンドの随時転送指示を行うことで電子ボリューム値などの初期設定情報をその都度更新することが可能となり、既に設定されたレジスタが、ＥＳＤ等の外的要因で設定が不意にクリアされてしまうという期間を最小限に抑えることができるようになる。
【００３０】
＜第２の実施形態＞
図３には、上述の図１，２の表示駆動装置１００において、さらに別の形態にかかる表示駆動装置１００Ａを示す。なお、この図３において、図１，２の表示駆動装置１００で用いた符号と同符号のものについては以下説明を省略し、また、図１，２に示した処理部においてさらに機能を追加した処理部として説明する場合などには、その処理部の符号にアルファベット「Ａ」を付して表すこととする。
【００３１】
この表示駆動装置１００Ａでは、制御回路１１２Ａに、電圧生成回路１３２における動作状態の有無を判定する判定回路１７０が設けられており、この判定で電圧生成回路１３２の非動作状態が確認されたならば、この回路の再設定動作が行われる。
【００３２】
この電圧生成回路１３２は、正常に電圧を供給している場合（つまり、その動作設定が行われる動作レジスタの記憶値が「１（オン）」となっている場合）、ＬＣＤ駆動回路１２４に、電源電圧を昇圧した基準電圧を供給する。逆に、その動作設定を行うレジスタの記憶値が「０（オフ）」となっている場合、この電圧生成回路１３２は非動作状態となっている。
【００３３】
この表示駆動装置１００Ａの制御回路１１２Ａにおける判定回路１７０は、電圧生成回路１３２から供給される電圧を随時読取り、正常に電圧の供給動作がなされているか否かを判定している。
判定回路１７０は、電圧生成回路１３２から電圧の非供給状態を判定した場合、電圧生成回路１３２を動作状態とさせるため、電圧生成回路１３２を再起動させる。なお、判定回路１７０により、表示駆動装置１００Ａ自体を再起動させてもよい。
【００３４】
これにより、表示駆動装置１００Ａでは、ＥＳＤ等の外的要因に起因して生じる、電圧生成回路１３２の動作レジスタがクリアされてしまうというＬＣＤ１５０の表示異常に対して、煩わしい設定作業無しに対処することができるようになる。
【００３５】
＜本発明が適用される様々な形態＞
なお、上述の実施形態で説明した第１，２の実施形態における表示駆動装置は一例であり、本発明は、その趣旨から逸脱しない範囲で様々な形態を採ることが可能である。
例えば、上述の図２の表示駆動装置１００において、電圧生成回路１３２における電子ボリューム値など記憶したレジスタがＥＳＤ等の外的要因で消去されてしまった場合を説明したが、この他、リセット信号を発信させるリセット命令がこれらの外的要因で発生し、表示駆動装置１００のこれらのレジスタが不意にリセットされてしまった場合にも、表示異常の期間を最小限に抑えることができる。これは、上述の第１の実施形態における別形態１，２や第２の実施形態についても同様である。
【００３６】
また、上述の第１の実施形態の表示駆動装置１００の他の形態２において、ユーザ側の操作により、指示コマンドの転送設定を行うことで初期設定情報を随時更新させるようにしてもよい。
【００３７】
また、上述の図２の表示駆動装置１００では、表示データＲＡＭ１２２を備えた装置としての一例を説明したが、これに限ることはなく、本発明は、表示データＲＡＭ１２２が備わっていない表示駆動装置についても適用することができる。この場合、図２に示す入出力バッファ回路１１０から受信した表示データＤは、制御回路１１２を介して、直接にＬＣＤ駆動回路１２４に供給される。
このような、表示駆動装置として用いられる場合も、随時、初期設定情報を更新することが可能となり、既に設定されたレジスタが、ＥＳＤ等の外的要因で不意にクリアされてしまうという期間を最小限に抑えることができるようになる。これは、上述の第１の実施形態における別形態１，２や第２の実施形態についても同様である。
【００３８】
また、上述の図１，２の表示駆動回路１００では、特に表示駆動にかかる駆動制御部分である駆動制御装置１０２の外部に、電圧生成回路１３２およびＥＥＰＲＯＭ１４２を設けた構成として説明を進めたが（つまり１つのＩＣとして形成されていない場合）、これは一例であり、この電圧生成回路１３２およびＥＥＰＲＯＭ１４２の少なくとも一方が１つのＩＣとして駆動制御装置１０２内に含まれることもあり得る。
【００３９】
＜電気光学装置および電子機器＞
例えば図１の液晶装置１０に示したように、上述の実施形態およびその様々な適用形態における表示駆動装置と、表示部としてのＬＣＤ１５０とを一体として備えた液晶装置として用いることができる。
【００４０】
図４は、上記液晶装置１０を搭載した携帯電話機２００の外観図である。この図において、携帯電話機２００は、複数の操作ボタン２１０の他、受話口２２０、送話口２３０と共に、電話番号などの各種情報を表示する表示部として液晶装置１０を備えている。
また、携帯電話機２００以外にも、本発明の表示駆動装置を備えた液晶装置１０は、コンピュータや、プロジェクタ、デジタルカメラ、ムービーカメラ、ＰＤＡ（Ｐｅｒｓｏｎａｌ  Ｄｉｇｉｔａｌ  Ａｓｓｉｓｔａｎｔ）、車載機器、複写機、オーディオ機器などの各種電子機器に用いることができる。また、この本発明の表示駆動装置は、液晶装置の他、ＥＬ（エレクトロ・ルミネッセンス）、プラズマディスプレイ、電気泳動装置（ＥＰＤ）、電気放出装置（ＦＥＤ）などの電気光学装置についても適用することができる。
【図面の簡単な説明】
【図１】本発明の表示駆動装置を備えた液晶装置を示す図である。
【図２】第１実施形態における本発明の表示駆動装置のブロック図である。
【図３】第２実施形態における本発明の表示駆動装置のブロック図である。
【図４】図１の液晶装置を備えた電子機器を示す図である。
【符号の説明】
１０，１０Ａ…液晶装置、１００，１００Ａ…表示駆動装置、１０２，１０２Ａ…駆動制御装置、１１０…入出力バッファ回路、１１２、１１２Ａ…制御回路、１１６…Ｉ／Ｏバッファ回路、１１８…カラムアドレス制御回路、１２０…ページアドレス制御回路、１２２…表示データＲＡＭ、１２４…ＬＣＤ駆動回路、１３２…電圧生成回路、１４０…ＲＯＭ制御回路、１４２…ＥＥＰＲＯＭ、１５０…ＬＣＤ、１７０…判定回路、２００…携帯電話機。
【図１】
2004294532.tif 000003
【図２】
2004294532.tif 000004
【図３】
2004294532.tif 000005
【図４】
2004294532.tif 000006